(57)【要約】      （修正有）【課題】通信装置のプリント板パッケージに設けたコネクタと、接続すべき外部光ケーブル側の端子のタイプが合致しない場合であっても、中継コネクタ群を使用せずに両者を接続することができる光ケーブルの接続構造。【解決手段】複数のプリント板パッケージ２０を備えた光通信装置１において、外部光ケーブル９０に固定した外部ケーブル端子９１が、ＳＦＰ光モジュール５０が備えた標準タイプのコネクタ５１と適合しない非標準タイプである場合に、プリント板パッケージ２０の全面パネル２３Ａのコネクタ金具装着穴２５、２６に装着され且つ外部ケーブル端子と適合する非標準タイプのコネクタ部６１を備えたコネクタ固定金具６０及びコネクタ固定金具から延びる接続用光ケーブル６５を介して外部ケーブル端子９１を標準タイプのコネクタ５１と電気的に接続する。【選択図】      図１
2006349856.tif 000002
【特許請求の範囲】
【請求項１】
複数のプリント板パッケージを互いに平行に配列して支持するシェルフを備えた光通信装置において、
前記プリント板パッケージは、プリント板と、前面パネルと、該前面パネルに取り付けられると共に標準タイプのコネクタを備えたＳＦＰ光モジュールと、該前面パネルの他の部位に設けたコネクタ金具装着穴と、を備え、
外部装置に一端を接続された外部光ケーブルの他端に固定した外部ケーブル端子が、前記ＳＦＰ光モジュールが備えた標準タイプのコネクタと適合しない非標準タイプである場合に、前記コネクタ金具装着穴に装着され且つ前記外部ケーブル端子と適合する非標準タイプのコネクタ部を備えたコネクタ固定金具及び該コネクタ固定金具から延びる接続用光ケーブルを介して前記外部ケーブル端子を前記標準タイプのコネクタと電気的に接続したことを特徴とする光通信装置の光ケーブル接続構造。
【請求項２】
前記プリント基板パッケージは、更に蓋部材を備え、前記前面パネルに、前記コネクタ金具装着穴を複数備えるとき、前記蓋部材の内部空間は仕切板によって各コネクタ金具装着穴と連通する光ケーブル余長収納空所に仕切られていることを特徴とする請求項１に記載の光通信装置の光ケーブル接続構造。
【請求項３】
前記コネクタ固定金具は、前記外部ケーブル端子と適合する非標準タイプの外部側コネクタ部と、前記非標準タイプのコネクタと同等の構成を備えた内部側コネクタ部と、を備え、
前記内部側コネクタ部と、前記標準タイプのコネクタとの間を接続する前記接続用光ケーブルは、光ケーブルの一端に前記標準タイプの端子を備えると共に、光ケーブルの他端に前記非標準タイプの端子を備えていることを特徴とする請求項１、又は２に記載の光通信装置の光ケーブル接続構造。
【請求項４】
前記シェルフは前方へ張り出した張出し板を備え、該張出し板上には、前記外部ケーブルの余剰長を巻き取るケーブルホルダが配置されていることを特徴とする請求項１、２又は３に記載の光通信装置の光ケーブル接続構造。
【発明の詳細な説明】
【技術分野】
【０００１】
本発明は、光波長多重装置のように外部装置との間を多数の光ケーブルによって接続される光通信装置における光ケーブルの接続構造の改良に関する。
【背景技術】
【０００２】
光通信網において光波長多重を実現するために用いられる光波長多重装置は、通常、シェルフ内に複数のプリント板パッケージを平行に実装可能なサブラック構造を備えている。
図６（ａ）は従来の光波長多重装置の一例の構成説明図であり、シェルフ１００の前面は開口しており、この開口部１０１内には複数のプリント板パッケージ１１０を互いに平行な姿勢で装着可能なラック構造が設けられている。このプリント板パッケージ１１０は、前端部に前面パネル１１１を備えると共に、前面パネル１１１に対してプリント板１１２が固定されている。前面パネル１１１の上下両端部に夫々設けた孔と、開口部１０１の上下縁部に夫々設けた横長の取付け部材１０２に設けた取付け孔とを連通させた状態でボルト１１３により両孔を締結することにより、プリント板パッケージ１１０は各取付け部材１０２に固定される。
保持部材１１１の前面には光コネクタが設けられている。光コネクタには、数種のタイプがある。ここには標準タイプであるＬＣコネクタ１２０、１２１、１２２が上下一列に配置されており、後述する光ケーブルのＬＣ端子が各ＬＣコネクタに装着される。この例では、下方の２つのＬＣコネクタ１２０、１２１は下位層側のＣＨ１、ＣＨ２を構成しており、上部のＬＣコネクタ１２２は上位層側へのコネクタである。また、この例では、開口部１０１の一端縁には上位層側のＬＣコネクタ１２２と光ケーブルを介して接続するＬＣコネクタ１２５が配置されている。
各ＬＣコネクタ１２０、１２１、１２２は、前面パネル１１１に設けた収容穴内に、ＬＣコネクタを具備するＳＦＰ光モジュールＭを装着することによって組み付けられる。このＳＦＰ光モジュールＭは、前面にＬＣコネクタを備えると共に、前面パネル１１１の収容穴内に装着されることにより、プリント基板側の配線と電気的に接続された状態となる。
更に、開口部１０１の下端縁からは水平に張出し板１３０が突設されており、この張出し板１３０の上面には、ケーブルホルダ１３１、パッチパネル（中継コネクタ群）１３２が着脱自在に取り付けられている。
【０００３】
次に、光コネクタのタイプの違いを説明する。
図７は夫々２連のＬＣ端子の概略図とＭＵ端子の概略図であり、光ケーブルの一端に夫々接続固定された一般的なタイプであるＬＣ端子１４１と、特殊なタイプであるＭＵ端子１４２は、２つの端子間のピッチが異なっており、従って、ＬＣ端子１４１、ＭＵ端子１４２と夫々接続可能なコネクタは、専用のＬＣコネクタ、ＭＵコネクタとなる。
このようにシェルフ１００側に装備されたＬＣコネクタ１２０、１２１に接続できるのは、ＬＣ端子１４１のみであるため、外部装置がＬＣコネクタ仕様を採用している場合には、当該外部装置から延びる光ケーブルにはＬＣ端子１４１が固定されているため、当該光ケーブル先端のＬＣ端子をシェルフ１００側のＬＣコネクタ１２０、１２１と接続すればよい。
しかし、外部装置がＬＣコネクタ仕様でない場合、例えばＭＵコネクタ仕様を採用している場合には、外部装置から延びるケーブル先端にはＭＵ端子１４２が固定されているため、このＭＵ端子１４２をシェルフ１００に設けた既設のＬＣコネクタ１２０、１２１に対して接続することはできない。
このような不具合に対処するため、上記パッチパネル１３２が中継コネクタ群として利用される。即ち、パッチパネル１３２は両サイドに複数のＭＵコネクタ１３２ａを配置した構成を備えており、外部装置から延びる光ケーブル１４０の先端のＭＵ端子１４２はパッチパネル１３２を構成する一つのＭＵコネクタ１３２ａに接続される。
【０００４】
一方、ＬＣコネクタ１２０、１２１とパッチパネル１３２との間の接続には、ＬＣ−ＭＵ変換ケーブル１５０を使用する。このＬＣ−ＭＵ変換ケーブル１５０は光ケーブルの一端にＬＣ端子１５２を、他端にＭＵ端子１５３を備えている。このため、ＬＣコネクタ１２０、１２１との接続に際してはＬＣ端子１５２を使用し、パッチパネル１３２側のＭＵコネクタ１３２ａとの接続に際してはＭＵ端子１５３を使用する（図６（ｂ）の概略配線図参照）。
出力側ＬＣコネクタ１２２と他のＬＣコネクタ１２５との間は、ケーブル両端にＬＣ端子を備えた光ケーブル１５５により接続する。
一方、外部装置から延びる外部光ケーブル１４０や、ＬＣコネクタ１２０、１２１とパッチパネル１３２間を接続するＬＣ−ＭＵ変換ケーブル１５０としては、予め十分な余剰長を備えたものが使用されるため、各コネクタ間の接続を完了した各光ケーブルの余剰部分はケーブルホルダ１３１に巻き付けておく必要がある。また、張出し板１３０のスペースには限界があり、張出し板上に配置するケーブルホルダの個数に限界があるため、一つのケーブルホルダ１３１を、複数本の外部光ケーブル１４０や、複数のプリント板パッケージ１１０から延びる多数のＬＣ−ＭＵ変換ケーブル１５０を束ねるための手段として共用する必要がある。
このため、シェルフ１００内に装着するプリント板パッケージ１１０の個数が増大した場合には、各ケーブルホルダ１３１に巻き付けて保持される光ケーブルの本数も多数となり、巻き付け作業が煩雑となる。また、例えば、回線設定の変更のために特定の光ケーブルを抜き去りたい場合があるがその際に、ケーブルホルダ１３１に一旦巻き付けられた多数の光ケーブルの中から該当する特定の光ケーブルを探し出してケーブル同士が絡み合わないように配慮しながら取り外す作業は極めて困難である。更に、一般の光ケーブルを湾曲させる場合の許容最小直径は６ｃｍ程度であるとされているため、ケーブルホルダ１３１に巻き付ける際の光ケーブル１４０、１５０のループの直径（曲率）を小さくするにも限界があり、一つのケーブルホルダ１３１に対して多数本の光ケーブルを巻き付けなければならない場合には、張出し板１３０の上面がケーブルであふれた状態となり、外観上も好ましくない。
また、プリント板パッケージ１１０側のコネクタのタイプと、外部装置から延びる光ケーブル端子のタイプが適合しない場合にパッチパネル１３２が必要とされ、このパッチパネルを、張出し板１３０上にケーブルホルダ１３１と隣接配置する必要があるため、張出し板１３０上の余剰ケーブル配置スペースが更に極限されて、上記不具合が更に増幅された状態となる。
【０００５】
また、上記従来の光波長多重装置における光ケーブルの接続構造において、シェルフ１００内に固定されたプリント板パッケージ１１０を取り外す必要が生じた場合、ＬＣ−ＭＵ変換ケーブル１５０によってプリント板パッケージ１１０とパッチパネル１３２間が接続されているため、予めＬＣ端子１５２をＬＣコネクタ１２０、１２１から抜き取ることにより、ＬＣ−ＭＵ変換ケーブル１５０との接続を解除して行われることが多く、取外し困難なＬＣ−ＭＵ変換ケーブル１５０はそのまま放置されかねない。このように、プリント板パッケージの着脱に伴う作業性が極めて悪かった。
特開平６−２５２５６９号には、複数のプリント基板を平行に収納するシェルフを備えた通信装置等において、装置外部との間の信号入出力用の電線ケーブルと光ケーブルを、シェルフの一側面に設けた多数の各専用コネクタに対して接続した場合に、各ケーブルの接続作業や余剰ケーブルの処理が繁雑化したり、ケーブル同士の絡みによってケーブルを着脱する際の作業時に光ケーブルが破損する不具合を防止するために、シェルフの側面に立設した板状のユニットを利用して各ケーブルの余長処理を行うようにした技術が開示されている。
しかし、板状のユニットがシェルフ内部の各プリント基板に対応させて設けられており、各板状のユニットはシェルフから直交して突出するため、板状のユニットの個数がプリント基板の枚数に応じて増大し、装置の重量と形状の大型化につながる。シェルフに対する板状のユニットの組付け作業、ケーブルの配回し作業も繁雑である。また、シェルフ内部のプリント基板を取り出す場合には、対応する板状のユニットにより支持された各ケーブルをプリント基板側に設けたコネクタから取り外す必要があるという不具合があった。更に、同公報には、装置本体側のコネクタと、光ケーブル側のコネクタの形状が適合しない場合の対策については一切開示されていない。
次に、特開平９−１４５９３９号にも、複数のプリント板パッケージをシェルフ内に収納する際の光ケーブルの余剰部分をコンパクトに保持する構成について開示されてはいるが、装置本体側のコネクタと、光ケーブル側のコネクタの形状が適合しない場合の対策については一切開示されていない。
【特許文献１】特開平６−２５２５６９号公報
【特許文献２】特開平９−１４５９３９号公報
【発明の開示】
【発明が解決しようとする課題】
【０００６】
本発明は上記に鑑みてなされたものであり、複数のプリント板パッケージを互いに平行に収納するシェルフを備えた通信装置において、各プリント板パッケージに設けたコネクタと、外部装置から延びる外部光ケーブルとを接続する際に、前記コネクタと外部光ケーブル側の端子のタイプが合致しないために接続できない場合であっても、パッチパネル（中継コネクタ群）を使用せずに、外部光ケーブルとプリント板パッケージ間を接続することができるようにした光通信装置における光ケーブルの接続構造を提供することを目的としている。
また、外部装置と通信装置間を接続する外部光ケーブル、その他の光ケーブルの余剰長をコンパクトに保持するケーブルホルダに対して、過剰な数量のケーブルが巻き付くことによる配線の複雑化、外観の悪化を解消することを他の目的としている。
更に、光ケーブルの取外しを行わずに、シェルフからプリント板パッケージだけを単体で取り外すことが可能な光ケーブルの接続構造を提供することを目的としている。
【課題を解決するための手段】
【０００７】
上記課題を解決するため、請求項１の発明は、複数のプリント板パッケージを互いに平行に配列して支持するシェルフを備えた光通信装置において、前記プリント板パッケージは、プリント板と、前面パネルと、該前面パネルに取り付けられると共に標準タイプのコネクタを備えたＳＦＰ光モジュールと、該前面パネルの他の部位に設けたコネクタ金具装着穴と、を備え、外部装置に一端を接続された外部光ケーブルの他端に固定した外部ケーブル端子が、前記ＳＦＰ光モジュールが備えた標準タイプのコネクタと適合しない非標準タイプである場合に、前記コネクタ金具装着穴に装着され且つ前記外部ケーブル端子と適合する非標準タイプのコネクタ部を備えたコネクタ固定金具及び該コネクタ固定金具から延びる接続用光ケーブルを介して前記外部ケーブル端子を前記標準タイプのコネクタと電気的に接続したことを特徴とする。
請求項２の発明は、請求項１において、前記プリント基板パッケージは、更に蓋部材を備え、前記前面パネルに、前記コネクタ金具装着穴を複数備えるとき、前記蓋部材の内部空間は仕切板によって各コネクタ金具装着穴と連通する光ケーブル余長収納空所に仕切られていることを特徴とする。
請求項３の発明は、請求項１、又は２において、前記コネクタ固定金具は、前記外部ケーブル端子と適合する非標準タイプの外部側コネクタ部と、前記非標準タイプのコネクタと同等の構成を備えた内部側コネクタ部と、を備え、前記内部側コネクタ部と、前記標準タイプのコネクタとの間を接続する前記接続用光ケーブルは、光ケーブルの一端に前記標準タイプの端子を備えると共に、光ケーブルの他端に前記非標準タイプの端子を備えていることを特徴とする。
請求項４の発明は、請求項１、２、又は３において、前記シェルフは前方へ張り出した張出し板を備え、該張出し板上には、前記外部ケーブルの余剰長を巻き取るケーブルホルダが配置されていることを特徴とする。
【発明の効果】
【０００８】
複数のプリント板パッケージを装着するシェルを備えた通信装置に対して、外部装置から外部光ケーブルによって信号を送信する場合、外部光ケーブルの端子と、通信装置側のコネクタのタイプが合致する場合には問題がないが、上記タイプが合致しない場合には、外部光ケーブル端子と合致するタイプのコネクタを備えたパッチパネルを介在させた迂遠な接続が行われていた。しかし、このようなパッチパネルを用いた場合には、パッチパネルを配置するスペースが必要となるばかりでなく、シェルフによって保持されたプリント板パッケージと、張出し板等の上に配置されたパッチパネルとの間を接続用光ケーブルにて結線する必要がある。通常、シェルフに装着されるプリント板パッケージは多数となるため、前記接続用ケーブルの本数も膨大な数となり、これらの余剰長を外観よく、かつ取扱性よくコンパクトに保持することが求められていた。従来は、パッチパネルを保持した張出し板等の余剰スペース上に配置したケーブルホルダに対して光ケーブルの余剰長を巻き付けていたが、光ケーブルの総本数が膨大な数となるため、限られた個数のケーブルホルダに対して巻き付けられる光ケーブルの本数、巻き数も少なくない数となり、巻き付け作業、取外し作業を、ケーブル同士を絡ませないように行うことが難しかった。また、外観上も問題であった。
本発明では、図示しない外部装置に一端を接続された外部光ケーブルの他端に固定した外部ケーブル端子が、非標準タイプ（ＭＵタイプ）である場合に、プリント板パッケージの前面パネルに設けた金具装着穴に装着され且つ外部ケーブル端子と適合する非標準タイプのコネクタを備えたコネクタ固定金具及びコネクタ固定金具から延びる接続用光ケーブルを介して外部ケーブル端子を標準タイプのコネクタと接続するようにしたので、従来のようにプリント板パッケージ側のＬＣコネクタと、張出し板上に配置したパッチパネルに設けたＭＵコネクタとの間をＬＣ−ＭＵ変換ケーブルを用いて接続する必要がなくなる。つまり、本発明に係る光ケーブル接続構造によれば、光コネクタの変換をプリント板パッケージの範囲内で完結することができる。
このため、張出し板上のケーブルホルダに巻き付け保持される光ケーブル本数が圧倒的に減少し、光ケーブル巻き付け作業の煩雑さや、巻き付けられた多数のケーブル中から目的とする光ケーブルのみを取り外す作業の煩雑さが解消される。
また、従来のようにプリント板パッケージとパッチパネルとの間が光ケーブルによって接続されていないため、変換に要する光ケーブルごとプリント板をシェルフから着脱することが可能となる。
【発明を実施するための最良の形態】
【０００９】
以下、本発明を図面に示した実施の形態により詳細に説明する。
図１（ａ）は本発明の一実施形態にかかる光通信装置の一例としての光波長多重装置の構成を示す斜視図であり、シェルフ内に一つのプリント板パッケージのみが装着されている状態を示している。図１（ｂ）はプリント板パッケージの前面に取り付けられる前面パネルの構成を示しており、コネクタ類を装着した状態を示している。
この光波長多重装置１は、前面に開口部３を備えた箱形のシェルフ２と、シェルフの開口部３の下部から前方へ水平に張出し形成された張出し板１０と、シェルフ２の開口部３内に縦姿勢で互いに平行に複数装着されるプリント板パッケージ２０と、プリント板パッケージ２０の前面に対して組み付けられる標準タイプのコネクタ（ＬＣコネクタ）５１を備えたＳＦＰ光モジュール５０と、プリント板パッケージ前面パネルに組み付けられるコネクタ固定金具６０と、コネクタ固定金具６０に固定されたコネクタと接続される接続用光ケーブル６５と、を備えている。なお、本実施形態におけるコネクタは正式にはアダプタ、端子はプラグハウジングと称せられている。
シェルフ２の前面に形成した開口部３内には、複数のプリント板パッケージ２０を平行な縦姿勢で装着、支持可能なラック構造が設けられている。このプリント板パッケージ２０は、プリント板Ｐを支持するケース２１の前部側に蓋部材２２を組み付けた構成を備えている。ケース２１と、蓋部材２２は、保持部材２３を構成している。つまり、プリント板Ｐを保持部材２３が保持することによりプリント板パッケージ２０が構築される。
保持部材２３は前面パネル２３Ａの上下両端部に夫々設けた孔２３ａと、開口部３の上下縁部に夫々設けた横長の取付け部材４に設けた取付け孔４ａとを連通させた状態でボルト５により両者を締結することにより、プリント板パッケージ２０は各取付け部材４に固定される。
【００１０】
前面パネル２３Ａには、標準タイプのＬＣコネクタ５１を前端部に備えたＳＰＦ光モジュール５０を装着するための装着穴２４を上下一列に所要個数配置している。これらの装着穴２４に対して夫々ＳＰＦ光モジュールを装着することにより図１に示すようにＬＣコネクタ５１が前面パネルに位置決めされた状態となる。この例では、下方の２つのＬＣコネクタ５１は下位層側のＣＨ１、ＣＨ２を構成しており、上部のＬＣコネクタ５１は上位層側のコネクタである。また、この例では、開口部３の一端縁には上位層側のＬＣコネクタ５１と光ケーブルを介して接続するＬＣコネクタ５５が配置されている。
このＳＦＰ光モジュール５０は、前面にＬＣコネクタ５１を備えると共に、前面パネル２３Ａの装着穴２４内に装着されることにより、プリント板Ｐ側の配線、端子と電気的に接続された状態となる。
前面パネル２３Ａの他の部位（この例では装着穴２４の上方）には、コネクタ固定金具６０を装着するためのコネクタ金具装着穴２５、２６が形成されており、各装着穴２５、２６の一端縁寄り位置から上方に向けては光ケーブル引出し用のスリット２７が連通して形成されている。コネクタ固定金具６０は、前面パネルに装着された際に外部に露出するＭＵタイプのコネクタ部（外部側コネクタ部）６１と、内部に位置するＭＵコネクタ部（内部側コネクタ部）６２と、両コネクタ部６１、６２間に位置する大径のフランジ部と、からなる。即ち、コネクタ固定金具６０には、所謂２連ＭＵ−ＭＵアダプタが固定されている。コネクタ固定金具６０を各装着穴２５、２６内に装着する際には夫々接続用光ケーブル６５を接続したコネクタ部６２側が各装着穴の奥側に位置するように装着し、両コネクタ部６１、６２との境界に位置するフランジ部によって前面パネル２３Ａに係止された状態となる。接続用光ケーブル６５の余剰長は各装着穴２５、２６内奥部の空所内にループ状に収納されるが、接続用光ケーブル６５の他端に固定したＬＣ端子６６はスリット２７から外部（前方）に引き出されて夫々ＬＣコネクタ５１と接続される。
【００１１】
本実施形態においては、光波長多重装置１に対して外部光ケーブル９０を介して接続される図示しない外部装置は、外部光ケーブル９０の端子としてＬＣコネクタではなく、非標準タイプのＭＵコネクタのみと接続できるＭＵ端子９１を用いている。ＬＣ端子とＭＵ端子の構成上の大きな違いは、図７にて説明した通り、２つの端子間のピッチの違いにあり、ＬＣ端子、ＭＵ端子は、夫々ＬＣコネクタ、ＭＵコネクタとのみ接続が可能となる。
シェルフ２側に装備されたＬＣコネクタ５１に接続できるのは、ＬＣ端子のみであるため、外部装置がＬＣコネクタ仕様を採用している場合には、当該外部装置から延びる光ケーブルにはＬＣ端子が固定されているため、当該光ケーブル先端のＬＣ端子をシェルフ側のＬＣコネクタ５１と接続すればよい。
一方、外部装置がＬＣコネクタ仕様でない場合、例えばＭＵコネクタ仕様を採用している場合には、外部装置から延びる外部光ケーブル９０先端にはＭＵ端子９１が固定されているため、ＬＣコネクタ５１に対して接続できない。即ち、この外部光ケーブル９０が備えているＭＵ端子９１は、プリント板パッケージ２０に装備した標準タイプのＬＣコネクタ５１に対して接続できないため、本発明においては、ＭＵコネクタ部（外部側コネクタ部）６１を備えたコネクタ固定金具６０に対してＭＵ端子９１を接続し、コネクタ固定金具６０の他方のコネクタ部（内部側コネクタ部）６２と接続された接続用光ケーブル６５を介してＬＣコネクタ５１との接続を行うようにしている。従って、接続用光ケーブル６５の少なくとも他端にはＬＣ端子６６が接続されている。
【００１２】
図示しない外部装置から延びる外部光ケーブル９０の一端に設けたＭＵ端子９１をコネクタ固定金具６０のＭＵコネクタ部６１に接続すると共に、上位層側のＬＣコネクタ５１と他のＬＣコネクタ５５との間を他の光ケーブルにて接続した状態で、例えば外部装置から外部光ケーブル９０、コネクタ固定金具６０、接続用光ケーブル６５、ＳＰＦ光モジュール５０を介してプリント基板Ｐ上の回路に信号を供給すると、プリント基板側で所要の信号処理を施した後で、上位層側のＬＣコネクタ５１から他のＬＣコネクタ５５へ向けて処理済みの信号が出力される。
張出し板１０の上面には、ケーブルホルダ１１が着脱自在に取り付けられている。このケーブルホルダ１１には、外部光ケーブル９０の余剰長を巻き付けてコンパクトに保持する。
一方、本発明においては、コネクタ固定金具６０とＬＣコネクタ５１とを接続する接続用光ケーブル６５の余剰長は前面パネル２３Ａのスリット２７から、空所形成板部材３１の内部にループ状態に湾曲して収納される一方で、接続用光ケーブル６５の他端に設けたＬＣ端子６６はスリット２７から前方へ引き出されてＬＣコネクタ５１と接続される。従って、接続用光ケーブル６５をケーブルホルダ１１によって束ねる必要がなく、張出し板１０上が多数の光ケーブルによって占拠されて、特定の光ケーブルを取り外したり、取り付ける作業の妨げとなったり、或いは外観を悪化させることがなくなる。
【００１３】
次に、本発明の一つの特徴的な構成要素であるプリント板パッケージの構造について図２、図３に基づいて説明する。図２（ａ）及び（ｂ）は本発明の一実施形態に係るプリント板パッケージの外観斜視図、及び分解斜視図であり、図３（ａ）（ｂ）（ｃ）（ｄ）及び（ｅ）はプリント板パッケージの縦断面図（図２（ｂ）のＸ−Ｘ断面図）、蓋部材の正面図、蓋部材の斜視図、コネクタ固定金具を蓋部材に取り付ける前の状態を示す説明図、及び取付けた後の状態を示す斜視図である。更に、図４（ａ）（ｂ）（ｃ）及び（ｄ）はプリント板パッケージの正面図、左側面図、背面図、及び平面図であり、図５（ａ）及び（ｂ）は蓋部材の正面図、及び左側面図である。
プリント板パッケージ２０は、プリント板Ｐと、プリント板Ｐを支持すると共にシェルフに装着されたときに一部（前面パネル２３Ａ）が外部に露出する保持部材２３と、保持部材２３の前面パネル２３Ａに取り付けられると共に標準タイプのコネクタ５１を備えたＳＦＰ光モジュール５０と、保持部材前面パネルの他の部位に設けた金具装着穴２５、２６、及びスリット２７と、を備えている。
保持部材２３は、プリント板Ｐを保持するケース２１と、ケース２１の前部に対してネジ固定されてプリント板Ｐの前部を隠蔽する蓋部材２２と、を備えている。
ケース２１は、プリント板Ｐの少なくとも外周を支持する外枠２１ａと、前面パネル２３Ａを構成する前枠２１ｂと、を備えている。外枠２１ａに設けた穴と、蓋部材２２に設けた穴とを整合させた状態で両穴をネジ止めすることにより、蓋部材２２はケース２１に対して固定されて図２（ａ）のような組立状態となる。前枠２１ｂにはコネクタ固定金具６０を支持する各装着穴２５、２６を構成する切欠きと、スリット２７を構成する切欠きが形成されており、蓋部材２２をケース２１に固定することによって装着穴２５、２６、スリット２７が完成する。また、ケースの前枠２１ｂには予めＳＰＦ光モジュール５０を装着するための装着穴２４が形成されている。
蓋部材２２は、矩形平板状のベース板３０と、ベース板３０の片面側に固定されることによりベース板３０との間に空所Ｓを形成する空所形成板部材３１と、空所形成板部材３１の内側面に固定され空所Ｓを２つに仕切ってスリット状の空所Ｓ１、Ｓ２を形成する仕切板３２と、を備えている。
【００１４】
図３（ａ）（ｂ）及び（ｃ）に示すようにベース板３０の前端縁には大きいサイズの切欠き３０ａが形成され、仕切り板３２の前端縁には小さいサイズの切欠き３２ａが形成されている。切欠き３２ａは切欠き３０ａ内に納まるように、その幅、位置関係が設定されている。各切欠き３０ａ、３２ａは、夫々コネクタ固定金具６０を仕切板３２、及び空所形成板部材３１によって位置決め支持するために形成されている。
即ち、図３（ｄ）（ｅ）は、各切欠き３０ａ、３２ａと各コネクタ固定金具６０との位置関係を説明する為の図であり、同図にはケース２１の前枠２１ｂは図示されていないが、実際にはケース２１に対して蓋部材２２を組付けたことによって形成される装着穴２５、２６内に前方側から各コネクタ金具６０が差込み装着される。
各コネクタ金具６０から延びる接続用光ケーブル６５は各空所（光ケーブル余長収納空所）Ｓ１、Ｓ２内に余剰部分を収容した状態でスリット２７に相当する位置から外部に引き出され、接続用光ケーブル６５の他端部に固定したＬＣ端子６６はＬＣコネクタ５１に対して接続される。
即ち、ケース２１に対して蓋部材２２を組み付けた状態では、空所形成板部材３１が、ケースの前枠２１ｂの端縁と合致する位置関係となり、各空所（光ケーブル余長収納空所）Ｓ１、Ｓ２は、スリット２７内に納まる位置関係となる。
【００１５】
本実施形態では、各装着穴２５、２６の内奥部を仕切板３２により仕切ることにより、スリット状の空所Ｓ１、Ｓ２を形成したので、各装着穴２５、２６に夫々装着されたコネクタ固定金具６０の内部側コネクタ部６２に接続された接続用光ケーブル６５は各空所Ｓ１、Ｓ２内に区分けして収納される。このため、光ケーブル間の絡みが防止される。仮に仕切板３２が存在しないと、両光ケーブルが内部で絡んだり、許容値を下回る直径で湾曲した状態になるので、一方の光ケーブルを無理に引っ張ると他方に引っ掛かって内部ファイバーが切断、損傷する虞がある。
なお、スリット２７の上端縁には両空所Ｓ１、Ｓ２から引き出された接続用光ケーブル６５を束ねるための折り曲げ自在なワイヤ７０を設けておき、このワイヤ７０によって複数本の光ケーブルがばらけることがないように束ねる。
プリント板Ｐの奥側角隅部には図示しないマザーボード側のコネクタと接続するためのコネクタ２８が配置されている。
【００１６】
このように本発明の光ケーブル接続構造を備えた光通信装置にあっては、図示しない外部装置に一端を接続された外部光ケーブル９０の他端に固定した外部ケーブル端子９１が、非標準タイプ（ＭＵタイプ）である場合に、金具装着穴２５、２６に装着され且つ外部ケーブル端子９１と適合する非標準タイプのコネクタを備えたコネクタ固定金具６０及びコネクタ固定金具から延びる接続用光ケーブル６５を介して外部ケーブル端子９０を標準タイプのコネクタ５１と電気的に接続するようにしたので、従来のようにプリント板パッケージ側のＬＣコネクタと、張出し板上に配置したパッチパネルに設けたＭＵコネクタとの間をＬＣ−ＭＵ変換ケーブルを用いて接続する必要がなくなる。このため、張出し板上のケーブルホルダに巻き付け保持される光ケーブル本数が圧倒的に減少し、光ケーブル巻き付け作業の煩雑さや、巻き付けられた多数のケーブル中から目的とする光ケーブルのみを取り外す作業の煩雑さが解消される。また、従来のようにプリント板パッケージとパッチパネルとの間が光ケーブルによって接続されていないため、プリント板単独でシェルフから着脱することが可能となる。
【図面の簡単な説明】
【００１７】
【図１】（ａ）は本発明の一実施形態にかかる光通信装置の一例としての光波長多重装置の構成で、シェルフ内に一つのプリント板パッケージのみが装着されている状態を示す斜視図、（ｂ）は保持部材の前面パネルの構成で、コネクタ類を装着した状態を示す図。
【図２】（ａ）及び（ｂ）は本発明の一実施形態に係るプリント板パッケージの外観斜視図、及び分解斜視図。
【図３】（ａ）（ｂ）（ｃ）（ｄ）及び（ｅ）はプリント板パッケージの縦断面図（図１（ｂ）のＸ−Ｘ断面図）、蓋部材の正面図、蓋部材の斜視図、コネクタ固定金具を蓋部材に取り付ける前の状態を示す説明図、及び取付けた後の状態を示す斜視図。
【図４】（ａ）（ｂ）（ｃ）及び（ｄ）はプリント板パッケージの正面図、左側面図、背面図、及び平面図。
【図５】（ａ）及び（ｂ）は蓋部材の正面図、及び左側面図。
【図６】（ａ）及び（ｂ）は従来例の説明図。
【図７】光ケーブル端子の種類を説明する図。
【符号の説明】
【００１８】
１  光波長多重装置、２  シェルフ、３  開口部、４  取付け部材、１０  張出し板、１１  ケーブルホルダ、２０  プリント板パッケージ、２１  ケース、２２  蓋部材、２３  保持部材、２３Ａ  前面パネル、２５、２６  コネクタ金具装着穴、２７  スリット、３０  ベース板、３１  空所形成板部材、３２  仕切板、５０  ＳＰＦ光モジュール、５１  ＬＣコネクタ、５５  ＬＣコネクタ、６０  コネクタ固定金具、６１  ＭＵコネクタ部（外部側コネクタ部）、６２  ＭＵコネクタ部（内部側コネクタ部）、６５  接続用光ケーブル、６６  ＬＣ端子、９０  外部光ケーブル、９１  ＭＵ端子。
【図１】
2006349856.tif 000003
【図２】
2006349856.tif 000004
【図３】
2006349856.tif 000005
【図４】
2006349856.tif 000006
【図５】
2006349856.tif 000007
【図６】
2006349856.tif 000008
【図７】
2006349856.tif 000009